(57)【要約】【課題】検体を入れる容器に貼り付けた状態でも検体を顕微鏡で好適に観察可能な記入シート及び記入シートを用いた電子ペンシステムを提供する。【解決手段】貼付エリア８０Ｃの中心部分には穴７が形成され、貼付エリア８０Ｃは、穴７の中心と、培養容器４の底面の中心とが一致するように培養容器４の底面に貼り付けられる。この場合、貼付エリア８０Ｃは、培養容器４の底面の縁部分と重なり、培養容器４の底面の中心部分とは重ならない。これにより、記入シート２を貼り付けた培養容器４を顕微鏡５に載置して観察する際に、培養容器４の底面から検体を照らす光が記入シート２により遮られない。【選択図】図１
2014235087.tif 000002
【特許請求の範囲】
【請求項１】
検体を入れる容器の底面に貼り付けるための貼付エリアと、
記入するための記入エリアとを有する記入シートであって、
前記貼付エリアは、前記容器の底面に貼り付けられた状態で、前記容器の底面の所定範囲と重ならないように形成される、又は、当該所定範囲と重なる部分が透明部材からなることを特徴とする記入シート。
【請求項２】
前記貼付エリアが形成される面は、前記記入エリアが形成される面と反対側の面であり、
前記貼付エリアが形成される面には、粘着層が設けられ、
前記記入エリアは、前記貼付エリアと略同一面上になるように折り畳み自在であることを特徴とする請求項１に記載の記入シート。
【請求項３】
前記透明部材は、透明フィルムと、透明な粘着層とにより構成されていることを特徴とする請求項１または２に記載の記入シート。
【請求項４】
前記記入シートは、透明フィルムにより構成され、
前記記入エリアには、表面加工がされている、又は、記入用のシールが貼り付けられていることを特徴とする請求項３に記載の記入シート。
【請求項５】
前記記入エリアには、コード化パターンが印刷されていることを特徴とする請求項１〜４のいずれか一項に記載の記入シート。
【請求項６】
請求項５に記載の記入シートと、
コード化パターンを読み取る電子ペンと、
前記電子ペンが生成した記入情報を受信するコンピュータ装置とを備える電子ペンシステムであって、
前記記入エリアには、前記検体を前記容器に入れる際に記入される第１記入欄と、前記検体を前記容器から出す際に記入される第２記入欄とが設けられ、
前記コンピュータ装置は、
前記電子ペンから受信した記入情報に基づき、前記容器に対する前記検体の入出の時間を認識する処理手段
を有することを特徴とする電子ペンシステム。
【発明の詳細な説明】
【技術分野】
【０００１】
本発明は、検体を入れる容器に貼り付ける記入シートに関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報をコンピュータ装置に送信する。
【０００３】
また、特許文献２には、側部から延出する識別表示体が形成された培養容器が開示されている。さらに、特許文献３には、生物試料（検体）を入れて顕微鏡で観察できるシャーレに、当該生物試料に関する情報を格納したＩＣタグを取り付けた例が開示されている。
【先行技術文献】
【特許文献】
【０００４】
【特許文献１】特許第３８４２２８３号公報
【特許文献２】特開２０１１−１９３７４１号公報
【特許文献３】特許第５１８６９２４号公報
【発明の概要】
【発明が解決しようとする課題】
【０００５】
検体を入れるシャーレなどの容器の側面に記入用のシートを貼り付けた場合、容器の側面が曲面形状を有するため、当該シートに記入しにくいという問題がある。また、容器の底面に記入用シートを貼りつけた場合、顕微鏡にて容器内の検体を観察する際に当該シートが妨げとなるという問題がある。そこで、本発明は、検体を入れる容器に貼り付けた状態でも検体を顕微鏡で好適に観察可能な記入シート及び記入シートを用いた電子ペンシステムを提供することを主な目的とする。
【課題を解決するための手段】
【０００６】
本発明の一つの観点では、検体を入れる容器の底面に貼り付けるための貼付エリアと、記入するための記入エリアとを有する記入シートであって、前記貼付エリアは、前記容器の底面に貼り付けられた状態で、前記容器の底面の所定範囲と重ならないように形成される、又は、当該所定範囲と重なる部分が透明部材からなる。
【０００７】
上記の記入シートは、貼付エリアと、記入エリアとを有する。そして、貼付エリアは、容器の底面に貼り付けられた状態で、容器の底面の所定範囲と重ならないように形成される、又は、当該所定範囲と重なる部分が透明部材からなる。ここで、「所定範囲」とは、顕微鏡で観察する対象となる範囲であり、例えば、検体が載置される容器の底面の中心から所定距離以内の範囲を指す。この態様により、記入シートを貼り付けた容器を顕微鏡に載置して観察する際に、容器の底面から検体を照らす光が好適に入射する。従って、観察者は記入シートが貼り付けられた容器内の検体を顕微鏡により好適に観察することができる。
【０００８】
上記記入シートの一態様では、前記貼付エリアが形成される面は、前記記入エリアが形成される面と反対側の面であり、前記貼付エリアが形成される面には、粘着層が設けられ、前記記入エリアは、前記貼付エリアと略同一面上になるように折り畳み自在である。この態様では、貼付エリアが形成される面に粘着層が形成され、記入エリアは、貼付エリアと略同一面上になるように折り畳まれる。これにより、記入シートは、記入エリアへの記入がしやすいように、好適に容器に貼り付けられる。
【０００９】
上記記入シートの他の一態様では、前記透明部材は、透明フィルムと、透明な粘着層とにより構成されている。この態様により、観察者は記入シートが貼り付けられた容器内の検体を顕微鏡により好適に観察することができる。
【００１０】
上記記入シートの他の一態様では、前記記入シートは、透明フィルムにより構成され、前記記入エリアは表面加工がされている、又は、前記記入エリアには記入用のシールが貼り付けられている。この態様により、記入エリアへの記入操作の操作性を低下させることなく、記入シートを透明フィルムにより好適に作製することができる。
【００１１】
上記記入シートの他の一態様では、前記記入エリアには、コード化パターンが印刷されている。この態様により、記入エリアに電子ペンにより記入した内容を好適に電子化することができる。
【００１２】
本発明の他の観点では、上記記載の記入シートと、コード化パターンを読み取る電子ペンと、前記電子ペンが生成した記入情報を受信するコンピュータ装置とを備える電子ペンシステムであって、前記記入エリアには、前記検体を前記容器に入れる際に記入される第１記入欄と、前記検体を前記容器から出す際に記入される第２記入欄とが設けられ、前記コンピュータ装置は、前記電子ペンから受信した記入情報に基づき、前記容器への前記検体の入出の時間を認識する処理手段を有する。この態様により、コンピュータ装置は、第１記入欄及び第２記入欄への電子ペンによる記入操作に基づき、容器に対する検体の入出の時間を認識し、培養時間などを好適に管理することができる。
【発明の効果】
【００１３】
本発明によれば、記入シートを貼り付けた容器を顕微鏡に載置して観察する際に、容器の底面から検体を照らす光が記入シートにより遮られない。従って、観察者は記入シートが貼り付けられた容器内の検体を顕微鏡により好適に観察することができる。
【図面の簡単な説明】
【００１４】
【図１】第１実施形態における電子ペンシステムのシステム構成図である。
【図２】顕微鏡のステージに載置された記入シート及び培養容器を示す。
【図３】記入シートの平面図を示す。
【図４】第１折り畳みエリアを第２折り畳みエリアと対向するように折り畳んだ後のシール面の上面図を示す。
【図５】ドットパターンのドットとそのドットが変換される値との関係を説明する図である。
【図６】（ａ）は、ドットパターンを模式的に示し、（ｂ）は、それに対応する情報の例を示す図である。
【図７】電子ペンの構造を示す概略図である。
【図８】コンピュータ装置の概略構成を示す。
【図９】座標定義情報のデータ構造の例を示す。
【図１０】変形例に係る記入シートの平面図を示す。
【図１１】第２実施形態に係る記入シートの平面図を示す。
【図１２】第３実施形態に係る記入シートの平面図を示す。
【発明を実施するための形態】
【００１５】
以下、図面を参照しながら、本発明の実施の形態である第１実施形態〜第３実施形態について順に説明する。
【００１６】
＜第１実施形態＞
まず、本発明に係る第１実施形態について説明する。
【００１７】
［電子ペンシステムの構成］
図１は、第１実施形態に係る電子ペンシステム１０の構成を示す。電子ペンシステム１０は、電子ペン１が生成する記入情報に基づき、培養容器４にて培養される検体の培養時間などを管理するシステムである。図１に示すように、電子ペンシステム１０は、ユーザが使用する電子ペン１と、培養容器４の底面に貼り付けられ、ドットパターン（コード化パターン）が印刷された記入シート２と、電子ペン１から記入情報を受信して処理するコンピュータ装置３と、検体を培養するための培養容器４とを有する。検体は、例えば人体から採取された血液、隋液、尿などの体液や細胞、その他培養容器４に格納されて顕微鏡により観察される対象となるものである。培養容器４には、検体を培養するための培養液が浸されている。
【００１８】
図２は、顕微鏡５に載置された培養容器４を示す。図２に示すように、培養容器４は、記入シート２が底面に貼り付けられた状態で、顕微鏡５のステージ５１に載置される。後述するように、記入シート２には、培養容器４に貼り付けられた状態で培養容器４と重なる位置に穴７が形成される。これにより、培養容器４内の検体は、反射鏡やコンデンサなどを介してステージ５１の下方から出射される光により、記入シート２に遮られることなく好適に照射される。
【００１９】
［記入用紙の構成］
次に、記入シート２の構成について図３及び図４を参照して詳しく説明する。図３（Ａ）は、ドットパターンや文字などが印刷された記入シート２の印刷面６の上面図を示し、図３（Ｂ）は、粘着性を有する記入シート２のシール面８の上面図を示す。シール面８は、印刷面６の裏面である。
【００２０】
図３（Ａ）に示すように、印刷面６は、折り目となる山折り線９０を境として、記入エリア６０Ａと、記入外エリア６０Ｂとに分けられる。記入エリア６０Ａには、位置座標を示すドットパターンが印刷されている。記入エリア６０Ａに印刷されるドットパターンは、電子ペン１により読み取ることができるように赤外線を吸収するカーボンを含んだインキにより印刷される。そして、ドットパターン以外の検体の採取元となる患者名、患者ＩＤ、各欄の罫線及びこれらの欄内に表示される漢字や数字等は、電子ペン１によるドットパターンの読み取りを疎外しないよう、赤外域に吸収性を持たないインキにより印刷される。
【００２１】
「入」と印刷された記入欄（以下「入」欄と呼ぶ。）６１は、記入シート２を貼り付けた培養容器４内に検体を移した際に電子ペン１によりユーザがチェックするための記入欄である。また、「出」と印刷された入力欄（以下「出」欄と呼ぶ。）６２は、記入シート２を貼り付けた培養容器４から検体を別の容器に移す際に電子ペン１によりユーザがチェックするための記入欄である。識別表示欄６３は、記入シート２や培養容器４などの所定の識別情報を表示する欄である。「入」欄６１は本発明における「第１記入欄」の一例であり、「出」欄６２は本発明における「第２記入欄」の一例である。
【００２２】
また、図３（Ｂ）に示すシール面８の略全面には、粘着層が形成される。なお、粘着層は、付箋紙などで用いられる剥がし易い部材であってもよく、比較的剥がれにくい粘着性の高い部材であってもよい。粘着層は、例えば両面テープである。また、シール面８は、記入エリア６０Ａの裏面に相当する第１折り畳みエリア８０Ａと、第１折り畳みエリア８０Ａが谷折線９１を折り目として折り畳まれた場合に第１折り畳みエリア８０Ａと対向する第２折り畳みエリア８０Ｂとを有する。第２折り畳みエリア８０Ｂは、谷折線９１と仮想線９３とにより区切られたエリアに相当する。そして、第１折り畳みエリア８０Ａが第２折り畳みエリア８０Ｂと接触するように折り畳まれた場合、粘着層の粘着力により、第１折り畳みエリア８０Ａと第２折り畳みエリア８０Ｂとが接着する。
【００２３】
さらに、シール面８は、培養容器４の底面に貼り付けられるリング状の貼付エリア８０Ｃを有する。貼付エリア８０Ｃの内側には、円形の穴７が形成されている。そして、貼付エリア８０Ｃは、穴７の中心と、培養容器４の底面の中心とが一致するように培養容器４の底面に貼り付けられる。この場合、貼付エリア８０Ｃは、培養容器４の底面の縁部分と重なり、培養容器４の底面の中心部分とは重ならない。
【００２４】
図４は、第１折り畳みエリア８０Ａを第２折り畳みエリア８０Ｂと対向するように折り畳んだ後のシール面８の上面図を示す。図４に示すように、この場合、記入エリア６０Ａと、貼付エリア８０Ｃとが略同一面上に形成される。そして、図４の状態で、穴７の中心と培養容器４の底面の中心とが一致するように、培養容器４を記入シート２上に載置することで、貼付エリア８０Ｃは培養容器４の底面に貼り付けられる。これにより、培養容器４は、記入シート２上で傾くことなく安定的に固定される。
【００２５】
そして、培養容器４は、記入シート２が貼り付けられた状態で、図２に示すように、顕微鏡５のステージ５１上に載置される。これにより、ステージ５１の下方から入射する光が穴７を通過して検体に照射され、検体への照射光が記入シートにより遮られない。これにより、ユーザは、顕微鏡５により好適に検体を観察することができる。
【００２６】
［ドットパターン］
まず、記入シート２の記入エリア６０Ａに印刷されたアノト方式のドットパターン（コード化パターン）について図５及び図６を用いて説明する。図５は、ドットパターンのドットとそのドットが変換される値との関係を説明する図である。図５に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、記入シート２の記入エリア６０Ａ上の位置座標が決定されるよう構成されている。なお、異なる記入シート２の記入エリア６０Ａ同士では座標領域が重ならないようドットパターンが形成される。
【００２７】
図６（ａ）は、あるドットパターンの配列を示している。図６（ａ）に示すように、縦横約２ｍｍの範囲内に６×６個のドットが、記入エリア６０Ａ上のどの部分から６×６ドットを取ってもユニークなパターンとなるように配置されている。これら３６個のドットにより形成されるドットパターンは位置座標（例えば、そのドットパターンが記入エリア６０Ａ上のどの位置にあるのか）を保持している。図６（ｂ）は、図６（ａ）に示す各ドットを、格子の基準位置からのシフト方向によって、図５に示す規則性に基づいて対応づけられた値に変換したものである。この変換は、ドットパターンの画像を撮影する電子ペン１によって行われる。
【００２８】
［電子ペン］
次に、電子ペン１について図７を用いて説明する。図７は、電子ペン１の構造を示す概略図である。図７に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を記入エリア６０Ａ上に当接させて、ストローク（手書きストローク）を記入する。ここで、電子ペン１のペン先部１０３が記入エリア６０Ａに最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２９】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により記入エリア６０Ａに文字やマークを書いたりタップしたりする際にペン先部１０３からインクカートリッジ１０４を通じて与えられる圧力、即ち筆圧を検出し、その値をプロセッサ１０８へ伝送する。
【００３０】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で記入エリア６０Ａに文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報としてコンピュータ装置３へ送信する。また、ユーザが１つのストロークを記入し終えて電子ペン１を記入エリア６０Ａから離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３へ送信する。
【００３１】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、記入エリア６０Ａ上のペン先部１０３近傍に向けて赤外線を照明する。その領域は、ペン先部１０３が記入エリア６０Ａに接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入エリア６０Ａに文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図６（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３２】
プロセッサ１０８は、ユーザの記入が行われる間、ＣＭＯＳカメラ１０６によって供給される画像データのドットパターンから、ユーザが記入するストローク（筆跡）の記入エリア６０ＡにおけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、記入エリア６０Ａにおける６×６のドットパターンは、記入エリア６０Ａ内で重複することはないため、ユーザが電子ペン１で文字等を記入すると、記入された位置が記入エリア６０Ａのどの位置に当たるかを、プロセッサ１０８による座標演算により特定することができる。
【００３３】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置３へ送信する。この場合の通信ユニット１１１によるコンピュータ装置３への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置３に送信された１個又は複数個の座標属性情報は、コンピュータ装置３によりストローク情報として記憶される。換言すると、１つのストロークは、１個又は複数個のＸ、Ｙ座標（座標点）からなり、コンピュータ装置３は、ペンダウン情報及びペンアップ情報によって、１つのストロークを構成する１個又は複数個の座標属性情報を認識する。
【００３４】
［コンピュータ装置］
次に、コンピュータ装置３について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。例えば、コンピュータ装置３は、ＰＣ（パーソナルコンピュータ）である。
【００３５】
図８は、コンピュータ装置３の機能ブロック図である。コンピュータ装置３は、機能的には、マウスやキーボードといった入力手段３１、通信手段３２、記憶手段３３、処理手段３４、及び表示手段３６を備える。通信手段３２は、アンテナ受信回路等により構成され、電子ペン１から記入情報を受信し、受信した情報を処理手段３４に伝送する。表示手段３６は、ディスプレイ等によって構成され、処理手段３４によって指示された内容を表示する。
【００３６】
記憶手段３３は、ＲＯＭやＲＡＭといったメモリによって構成され、処理手段３４が所定の処理を実行するのに必要なプログラムを記憶する。記憶手段３３は、処理手段３４の処理命令により、電子ペン１から受信した記入情報をペンＩＤ毎に記憶する。また、記憶手段３３は、各記入シート２の記入エリア６０Ａに対応するドットパターンが示す座標範囲の情報（「座標定義情報」とも呼ぶ。）を記憶する。例えば、記憶手段３３は、座標定義情報として、各記入シート２の記入エリア６０Ａに印刷されたドットパターンが示す座標範囲と、当該記入シート２が貼り付けられる培養容器４及び当該培養容器４で培養される検体に関する情報とを関連付けて記憶する。
【００３７】
図９は、座標定義情報のデータ構造の一例を示す。図９の例では、座標定義情報は、記入シート２が貼り付けられる培養容器４の識別情報（「容器ＩＤ」とも呼ぶ。）を示す項目と、当該培養容器４にて培養される検体の抽出元である患者名及び患者ＩＤを示す項目と、記入シート２の各エリアに印刷されたドットパターンの座標範囲を示す項目と、ドットパターンが印刷されたエリア名を示す項目と、対象の培養容器４で検体を培養する工程の識別情報を示す項目とを有する。ここで、ドットパターンの座標範囲は、角の位置座標（Ｘｎ，Ｙｎ）、高さ（Ｈｎ）、幅（Ｗｎ）で規定されている。図９の例では、記憶手段３３は、一例として、各記入シート２の「入」欄６１及び「出」欄６２に印刷されたドットパターンの座標範囲ごとに、培養容器４及び検体に関する情報を記憶している。なお、図９の例において、容器ＩＤに代えて、又はこれに加えて、記憶手段３３は、記入シート２の識別情報を座標定義情報として記憶してもよい。
【００３８】
処理手段３４は、ＣＰＵ等のプロセッサによって構成され、コンピュータ装置３の全体の制御を行う。処理手段３４は、「入」欄６１又は「出」欄６２が電子ペン１により記入されてドットパターンが読み取られた場合、電子ペン１により生成され送信されてきた記入情報に基づき、座標定義情報を参照し、「入」欄６１又は「出」欄６２に記入（チェック）がなされたこと及び記入された記入シート２が貼り付けられた培養容器４の容器ＩＤ等を認識する。そして、処理手段３４は、「入」欄６１にチェックがなされたことを認識した場合、受信した記入情報に含まれる時刻情報が示す時刻に基づき、認識した容器ＩＤが示す培養容器４に検体が移された時刻を認識し、記憶手段３３に記憶させる。同様に、処理手段３４は、「出」欄６２にチェックがなされたことを認識した場合、受信した記入情報に含まれる時刻情報が示す時刻に基づき、培養容器４から検体が取り出された時刻を認識し、記憶手段３３に記憶させる。従って、処理手段３４は、
記憶手段３３に記憶させた各培養容器４での検体の入出の時刻に基づき、各培養容器４での検体の培養時間などを好適に算出し、管理することができる。
【００３９】
なお、処理手段３４は、記入情報に含まれる時刻情報を参照する代わりに、当該記入情報の受信時にコンピュータ装置３が生成する時刻情報を参照することで、培養容器４に対する検体の入出の時間を認識してもよい。
【００４０】
［第１実施形態の電子ペンシステムによる作用効果］
第１実施形態の電子ペンシステムによれば、貼付エリア８０Ｃの中心部分には穴７が形成され、貼付エリア８０Ｃは、穴７の中心と、培養容器４の底面の中心とが一致するように培養容器４の底面に貼り付けられる。この場合、貼付エリア８０Ｃは、培養容器４の底面の縁部分と重なり、培養容器４の底面の中心部分とは重ならない。これにより、記入シート２を貼り付けた培養容器４を顕微鏡５に載置して観察する際に、培養容器４の底面から検体を照らす光が記入シート２により遮られない。従って、観察者は記入シート２が貼り付けられた培養容器４内の検体を顕微鏡５により好適に観察することができる。
【００４１】
また、コンピュータ装置３は、「入」欄６１又は「出」欄６２に電子ペン１により記入された際に生成されて送信された記入情報に基づき、対象の培養容器４に検体が移された時間や当該培養容器４から検体が取り出された時間を認識し、記憶手段３３に記憶する。これにより、処理手段３４は、各培養容器４での検体の培養時間などを好適に算出し、管理することができる。
【００４２】
［第１実施形態の変形例］
次に、第１実施形態の変形例について説明する。以下の変形例は、任意に組み合わせて上述の第１実施形態に適用してもよい。
【００４３】
（変形例１）
貼付エリア８０Ｃの形状は、図４等に示す形状に限定されない。そこで、図４以外の形状の貼付エリア８０Ｃを有する記入シート２の具体例について、図１０を参照して説明する。以後では、第１実施形態の構成と同一の構成要素については適宜同一の符号を付し、その説明を省略する。
【００４４】
図１０（Ａ）は、記入エリア６０Ａを折り畳んだ後の変形例に係る記入シート２ａのシール面８を表示した平面図を示す。図１０（Ａ）に示す記入シート２ａの貼付エリア８０Ｃａは、Ｃ型の形状を有し、矢印９４に示す幅分の溝が形成されている。また、貼付エリア８０Ｃａの内側には、矢印９４に示す幅分の溝と繋がった空間７ａが形成されている。そして、第１実施形態と同様に、培養容器４は、底面の縁が貼付エリア８０Ｃａと重なるように載置される。この場合であっても、第１実施形態と同様、培養容器４を安定的に載置することができると共に、顕微鏡５に培養容器４を載置した際の検体への照射光が記入シート２ａにより遮られるのを好適に防ぐことができる。
【００４５】
図１０（Ｂ）は、記入エリア６０Ａを折り畳んだ後の変形例に係る記入シート２ｂのシール面８の上面図を示す。図１０（Ｂ）に示す記入シート２ｂの貼付エリア８０Ｃｂは、四角リングの形状を有し、穴７ｂは四角形状の輪郭を有する。そして、培養容器４は、二点鎖線９５に示す貼付エリア８０Ｃｂ上の位置に載置される。この場合であっても、第１実施形態と同様、培養容器４を安定的に載置することができると共に、顕微鏡５に培養容器４を載置した際の検体への照射光が記入シート２ｂにより遮られるのを好適に防ぐことができる。なお、図１０（Ｂ）の例において、図１０（Ａ）に示す貼付エリア８０Ｃａと同様に、貼付エリア８０Ｃｂは、所定幅分の溝を有してもよい。
【００４６】
（変形例２）
記入エリア６０Ａには、異なる記入シート２の記入エリア６０Ａに対して、それぞれ異なる座標範囲のドットパターンが印刷されていた。これに代えて、記入エリア６０Ａの一部の領域について、異なる記入シート２に対して同一の座標範囲のドットパターンが印刷されてもよい。
【００４７】
例えば、識別表示欄６３には、記入シート２ごとに異なる座標範囲が印刷され、「入」欄６１及び「出」欄６２には記入シート２ごとに同一の座標範囲が印刷されてもよい。この場合、例えば、コンピュータ装置３の記憶手段３３は、識別表示欄６３に印刷されたドットパターンの座標範囲を記入シート２が貼り付けられる容器ＩＤごとに予め記憶し、ユーザは、「入」欄６１又は「出」欄６２に電子ペン１によりチェックマークを記入する前に、識別表示欄６３をタップする。そして、このタップ操作により電子ペン１が生成した記入情報を受信したコンピュータ装置３は、識別表示欄６３への記入情報に基づき、座標定義情報を参照し、その後に受信する記入情報が示すストローク（即ちチェックマーク）の記入対象である記入シート２が貼り付けられる培養容器４の容器ＩＤを認識する。このように、本変形例においても、コンピュータ装置３は、各培養容器４に貼り付けられる記入シート２の「入」欄６１及び「出」欄６２へのチェックの有無を好適に認識することができる。
【００４８】
（変形例３）
記入エリア６０Ａには、培養容器４に検体を入出させる際にチェックするための「入」欄６１及び「出」欄６２等が設けられた。しかし、本発明が適用可能な記入エリア６０Ａの態様は、これに限定されず、種々のレイアウトであってもよい。
【００４９】
例えば、「入」欄６１及び「出」欄６２の代わりに、記入エリア６０Ａには、メモ書きを記載するためのスペースが設けられてもよい。この場合、コンピュータ装置３は、当該スペースに電子ペン１により記入がなされたときに、当該電子ペン１から受信した記入情報に基づき、記入された記入シート２が貼り付けられた培養容器４の容器ＩＤ及び記入されたストロークを認識し、当該ストロークの記録処理や表示処理などを行う。
【００５０】
（変形例４）
図３（Ｂ）の説明では、シール面８の略全面に粘着層が設けられていた。これに代えて、シール面８の一部の領域にのみ粘着層が設けられていてもよい。例えば、シール面８の第１折り畳みエリア８０Ａ又は第２折り畳みエリア８０Ｂのいずれかと、貼付エリア８０Ｃとにのみ粘着層が設けられていてもよい。
【００５１】
（変形例５）
第１実施形態において、電子ペン、ドットパターン（コード化パターン）、記入情報に、アノト方式を用いたが、アノト方式に限られなくともよい。また、ドットパターン（コード化パターン）も、位置座標を示すものに限られず、「入」欄６１及び「出」欄６２等を識別するためのコード値を示すものであってもよい。
【００５２】
＜第２実施形態＞
図１１は、第２実施形態に係る記入シート２ｘのシール面８ｘの上面図を示す。図１１に示すように、第２実施形態に係る記入シート２ｘのシール面８ｘには、貼付エリア８０Ｃに加えて、記入エリア６０Ａｘが形成されている。即ち、記入シート２ｘは、第１折り畳みエリア８０Ａ及び第２折り畳みエリア８０Ｂを有さず、貼付エリア８０Ｃと記入エリア６０Ａｘとが同一面に形成されている。従って、第２実施形態では、第１実施形態と異なり、記入シート２ｘを折り畳む必要がない。
【００５３】
そして、図１１の状態で、穴７の中心と培養容器４の底面の中心とが一致するように、培養容器４を記入シート２上に載置することで、第１実施形態の場合と同様に貼付エリア８０Ｃを培養容器４の底面に貼り付ける。そして、培養容器４は、記入シート２ｘが貼り付けられた状態で、図２の例と同様に、顕微鏡５のステージ５１上に載置される。これにより、ステージ５１の下方から入射する光が穴７を通過して検体に照射されるため、検体への照射光が記入シートにより遮られない。従って、ユーザは、顕微鏡５により好適に検体を観察することができる。
【００５４】
［第２実施形態の電子ペンシステムによる作用効果］
第２実施形態の電子ペンシステム１０によれば、記入シート２ｘは、貼付エリア８０Ｃと記入エリア６０Ａｘとが予め同一面に形成されている。これにより、第１実施形態の記入シート２と異なり、山折り線９０及び谷折線９１を折り目として記入シート２ｘを折り畳む必要がない。その他、第２実施形態に係る電子ペンシステム１０は、第１実施形態に係る電子ペンシステム１０と同様の作用効果を奏する。
【００５５】
［第２実施形態の変形例］
第２実施形態では、第１実施形態の変形例１〜５を任意に組み合わせて適用可能である。
【００５６】
＜第３実施形態＞
図１２は、第３実施形態に係る記入シート２ｙのシール面８ｙの上面図を示す。図１２に示すように、記入シート２ｙのシール面８ｙには、第２実施形態と同様、貼付エリア８０Ｃｙに加えて、記入エリア６０Ａｙが形成されている。さらに、貼付エリア８０Ｃｙは、略円形に形成され、中心部分が切り取られていない。そして、貼付エリア８０Ｃｙの略全面には、無色透明なフィルムに無色透明な粘着層が積層される。
【００５７】
図１２の構成によれば、培養容器４の底面に貼付エリア８０Ｃｙを貼り付けた後、培養容器４を顕微鏡５のステージ５１上に載置した場合に、ステージ５１の下方からの入射光が無色透明な部材からなる貼付エリア８０Ｃｙを透過して培養容器４内の検体に照射される。従って、第３実施形態に係る記入シート２ｙを貼り付けた培養容器４を顕微鏡５により観察する場合であっても、観察者は、好適に検体を観察することができる。
【００５８】
［第３実施形態の再生システムによる作用効果］
第３実施形態の電子ペンシステム１０によれば、記入シート２ｙは、透明部材からなる略円形の貼付エリア８０Ｃｙを有する。これにより、記入シート２ｙを貼り付けた培養容器４を顕微鏡５により観察する場合に、貼付エリア８０Ｃｙを透過して培養容器４内の検体に光が好適に照射されるため、観察者は、顕微鏡５により好適に検体を観察することができる。その他、第３実施形態に係る電子ペンシステム１０は、第１及び第２実施形態に係る電子ペンシステム１０と同様の作用効果を奏する。
【００５９】
［第３実施形態の変形例］
第３実施形態では、第１実施形態の変形例１〜５を任意に組み合わせて適用可能である。また、第３実施形態では、以下の変形例６〜７が適用可能である。変形例６〜７は、変形例１〜５と任意に組み合わせて適用してもよい。
【００６０】
（変形例６）
貼付エリア８０Ｃｙの略全面に粘着層が積層される代わりに、粘着層は、貼付エリア８０Ｃｙの縁部分に沿ってリング状に形成されてもよい。即ち、この場合、貼付エリア８０Ｃｙの中心部分には、粘着層が形成されず、無色透明なフィルムのみが形成される。また、本変形例では、粘着層は第１及び第２実施形態と同様に無色透明でなくともよい。この場合であっても、記入シート２ｙを貼り付けた培養容器４を顕微鏡５により観察する場合に、貼付エリア８０Ｃｙを透過して培養容器４内の検体に光が好適に照射されるため、観察者は、顕微鏡５により好適に検体を観察することができる。
【００６１】
（変形例７）
図１１に示す記入エリア６０Ａｙは、貼付エリア８０Ｃｙを含む記入シート２ｙの他のエリアと共に無色透明なフィルムにより一体に成形され、かつ、ドットパターンや「入」欄６１及び「出」欄６２等が印刷されたシール（「印刷シール」とも呼ぶ。）が貼り付けられたものであってもよい。即ち、この場合、印刷シールが貼り付けられる前の記入エリア６０Ａｙは、無色透明なフィルムであり、ドットパターン等が印刷されていない。そして、印刷シールの表面は、紙素材などの記入に適した素材により形成される。
【００６２】
ここで、印刷シールを用いることの効果について補足説明する。仮に印刷シールを用いずに無色透明なフィルムにドットパターン等を印刷して記入エリア６０Ａｙを形成した場合、フィルム上では摩擦が少なく滑るため、電子ペン１で記入エリア６０Ａｙに記入する際に記入しにくいという問題がある。以上を勘案し、本変形例のように印刷シールを用いることで、ユーザは、印刷シール上で電子ペン１により好適に記入を行うことができる。
【００６３】
なお、印刷シールを用いる代わりに、無色透明なフィルムにより形成された記入エリア６０Ａｙを、電子ペン１による記入に適した摩擦が生じるように表面加工してもよい。この場合であっても、ユーザは、記入エリア６０Ａｙ上で電子ペン１により好適に記入を行うことができる。
【符号の説明】
【００６４】
１…電子ペン
２…記入シート
３…コンピュータ装置
４…培養容器
５…顕微鏡
３１  入力手段
３２…通信手段
３３…記憶手段
３４…処理手段
３６…表示手段
【図１】
2014235087.tif 000003
【図２】
2014235087.tif 000004
【図３】
2014235087.tif 000005
【図４】
2014235087.tif 000006
【図５】
2014235087.tif 000007
【図６】
2014235087.tif 000008
【図７】
2014235087.tif 000009
【図８】
2014235087.tif 000010
【図９】
2014235087.tif 000011
【図１０】
2014235087.tif 000012
【図１１】
2014235087.tif 000013
【図１２】
2014235087.tif 000014